(57)【要約】【課題】ドア開閉時の操作性を向上でき、操作部に対する熱の悪影響を防ぐことができる加熱調理器を提供する。【解決手段】加熱調理器は、本体ケーシング(１)内に配置され、前面に開口部(１１)を有する加熱庫(１０)と、本体ケーシング(１)の前面側に開閉可能に取り付けられ、加熱庫(１０)の開口部(１１)を開閉するドア(２)と、本体ケーシング(１)の前側かつドア(２)の下側に、ドア(２)に対して間隔をあけて配置された操作部(５)とを備える。【選択図】図５Ａ
2020056507.tif 000002
【特許請求の範囲】
【請求項１】
本体ケーシング内に配置され、前面に開口部を有する加熱庫と、
上記本体ケーシングの前面側に開閉可能に取り付けられ、上記加熱庫の上記開口部を開閉するドアと、
上記本体ケーシングの前側かつ上記ドアの下側に、上記ドアに対して間隔をあけて配置された操作部と
を備えたことを特徴とする加熱調理器。
【請求項２】
請求項１に記載の加熱調理器において、
上記操作部の天面に設けられた水溜まり部と、
上記操作部の上記水溜まり部上に延在するように設けられた露受部と
を備え、
上記露受部は、上面視において上記水溜まり部の上方に延在する部分が上記水溜まり部の領域よりも小さいことを特徴とする加熱調理器。
【請求項３】
請求項２に記載の加熱調理器において、
上記本体ケーシングの前側かつ上記ドアの下側に配置された露受容器を備え、
上記露受部は、上記ドアおよび上記加熱庫から滴下した水を受けて上記露受容器に案内する露受案内部であることを特徴とする加熱調理器。
【請求項４】
請求項３に記載の加熱調理器において、
上記露受容器は、上記操作部と隣り合うように配置されていることを特徴とする加熱調理器。
【請求項５】
請求項２から４のいずれか１つに記載の加熱調理器において、
上記操作部の前面側の上端が上記露受部の前縁よりも高いことを特徴とする加熱調理器。
【請求項６】
請求項１から５のいずれか１つに記載の加熱調理器において、
上記本体ケーシングの前側かつ上記ドアの下側に、上記操作部と隣り合うように配置された着脱可能な水タンクを備えたことを特徴とする加熱調理器。
【請求項７】
請求項２から５のいずれか１つに記載の加熱調理器において、
上記本体ケーシングの前側かつ上記ドアの下側に、上記操作部と隣り合うように配置された着脱可能な水タンクを備え、
上記水タンクの前面側の上端が上記露受部の前縁よりも高いことを特徴とする加熱調理器。
【請求項８】
請求項１から７のいずれか１つに記載の加熱調理器において、
上記本体ケーシングは、
上記加熱庫の開口部の周囲に設けられた前板と、
上記加熱庫の下側に取り付けられ、上記前板の下端よりも前縁が後側に位置する底板と、
上記本体ケーシングの下側かつ前面側に上記操作部の後側が収容される凹部を形成するように、上記前板の下端側と上記底板の前縁側との間を連結する連結部材と
を有することを特徴とする加熱調理器。
【請求項９】
請求項８に記載の加熱調理器において、
上記連結部材は金属からなることを特徴とする加熱調理器。
【発明の詳細な説明】
【技術分野】
【０００１】
この発明は、加熱調理器に関する。
【背景技術】
【０００２】
従来、加熱調理器としては、加熱庫の開口部を開閉するドアに操作部を備えたものがある(例えば、特開２０１０−１５９９１６号公報(特許文献１)参照)。
【先行技術文献】
【特許文献】
【０００３】
【特許文献１】特開２０１０−１５９９１６号公報
【発明の概要】
【発明が解決しようとする課題】
【０００４】
しかしながら、上記従来の加熱調理器では、ドア内に操作部の電装品を有するため、ドアの重量が重くなってドアを開閉するときの操作性が悪くなるという問題や、加熱調理時に加熱庫からの高熱がドアに伝わって操作部に悪影響を及ぼすという問題がある。
【０００５】
このような加熱調理器では、例えドア内に配置された電装品を冷却する機構を設けたとしても、ドアが加熱庫に接して高熱に曝されるため、熱対策が十分にできない。
【０００６】
そこで、この発明の課題は、ドア開閉時の操作性を向上でき、操作部に対する熱の悪影響を防ぐことができる加熱調理器を提供することにある。
【課題を解決するための手段】
【０００７】
上記課題を解決するため、この発明の加熱調理器は、
本体ケーシング内に配置され、前面に開口部を有する加熱庫と、
上記本体ケーシングの前面側に開閉可能に取り付けられ、上記加熱庫の上記開口部を開閉するドアと、
上記本体ケーシングの前側かつ上記ドアの下側に、上記ドアに対して間隔をあけて配置された操作部と
を備えたことを特徴とする。
【発明の効果】
【０００８】
以上より明らかなように、この発明によれば、本体ケーシングの前側かつドアの下側に、ドアに対して間隔をあけて操作部を配置することによって、ドア開閉時の操作性を向上でき、操作部に対する熱の悪影響を防ぐことができる加熱調理器を実現することができる。
【図面の簡単な説明】
【０００９】
【図１】図１はこの発明の第１実施形態の加熱調理器の正面図である。
【図２】図２は上記加熱調理器の右側面図である。
【図３Ａ】図３Ａは図１のIIIA−IIIA線から見た縦断面図である。
【図３Ｂ】図３Ｂは図３Ａの点線で囲む要部の拡大図である。
【図３Ｃ】図３Ｃは図３Ｂの連結部材を含む要部の拡大図である。
【図４Ａ】図４Ａは図１のIVA−IVA線から見た縦断面図である。
【図４Ｂ】図４Ｂは図４Ａの点線で囲む要部の拡大図である。
【図５Ａ】図５Ａは図１のＶA−ＶA線から見た縦断面図である。
【図５Ｂ】図５Ｂは図５Ａの点線で囲む要部の拡大図である。
【図６】図６は図１に示す操作部と水タンクおよび露受容器を外した状態の加熱調理器を斜め下方から見た斜視図である。
【図７】図７は図６に示す加熱調理器の正面図である。
【図８】図８は上記加熱調理器の連結部材に取り付けられた操作部と水タンクおよび露受容器の斜視図である。
【図９】図９は上記加熱調理器の連結部材に取り付けられた操作部と水タンクおよび露受容器の上面図である。
【図１０】図１０は上記操作部の前面側を斜め上方から見た斜視図である。
【図１１】図１１は上記操作部の裏面側を斜め上方から見た斜視図である。
【図１２】図１２は上記操作部の裏面図である。
【発明を実施するための形態】
【００１０】
以下、この発明の加熱調理器を図示の実施の形態により詳細に説明する。
【００１１】
〔第１実施形態〕
図１はこの発明の第１実施形態の加熱調理器の正面図を示し、図２は加熱調理器の右側面図を示している。
【００１２】
この第１実施形態の加熱調理器は、図１,図２に示すように、直方体形状の本体ケーシング１の正面に、下端側の辺を略中心に回動するドア２が取り付けられている。このドア２の上部にハンドル３を取り付けると共に、ドア２の略中央に耐熱ガラス４を取り付けている。また、ドア２の下側かつ右側に、ドア２に対して間隔をあけて操作部５を設けている。この操作部５は、液晶表示部６とダイヤル７とを有している。また、本体ケーシング１の下側かつ前面側に、水タンク２０を着脱可能に取り付けている。さらに、本体ケーシング１の前側かつドア２の下側に、露受容器３０を着脱可能に取り付けている。
【００１３】
上記操作部５と水タンク２０および露受容器３０は、右側から左側に向かって順に配置されている。
【００１４】
図３Ａは図１のIIIA−IIIA線から見た縦断面図を示している。図３Ａにおいて、図１,図２と同一の構成部には同一参照番号を付している。
【００１５】
図３Ａに示すように、この加熱調理器は、本体ケーシング１内に、直方体形状の加熱庫１０が配置されている。加熱庫１０は、正面側に開口部１１を有している。また、加熱庫１０内には、ステンレス製のトレイ４１が設置され、トレイ４１上には、被加熱物を載置するためのステンレス鋼線製の調理網４２が設置されている。上記加熱庫１０内の両側壁面にトレイ受部４３を設け、このトレイ受部４３によりトレイ４１を受けている。
【００１６】
また、この加熱調理器は、本体ケーシング１内かつ加熱庫１０の下側に、ポンプ(図示せず)と、水タンク２０からポンプより供給された水を加熱して蒸気を発生させる蒸気発生装置(図示せず)とを備えている。
【００１７】
上記加熱庫１０の天面パネル１０ｂには、上ヒータ１１１,１１２を前後方向に間隔をあけて配置している。上ヒータ１１１,１１２は、ヒータ収納部１２１,１２２内に取り付けられている。
【００１８】
上記加熱庫１０の底面パネル１０ａよりも下側には、攪拌アンテナ５１と、下ヒータ１１３とを収容する収容凹部５０を設けている。この収容凹部５０の下側に攪拌アンテナ５１を駆動する攪拌アンテナ用モータ５２を配置している。
【００１９】
また、上記加熱庫１０の下側かつ後側には、マイクロ波を発生するマグネトロン６１を配置している。このマグネトロン６１で発生したマイクロ波は、導波管６０によって加熱庫１０の下部中央に導かれ、攪拌アンテナ用モータ５２によって駆動される攪拌アンテナ５１によって攪拌されながら加熱庫１０内の上方に向かって放射されて、底面パネル１０ａ上に置かれた被加熱物を加熱するようになっている。
【００２０】
さらに、上記加熱庫１０の後面板１０１の後側に循環ダクト１０２を設けている。この循環ダクト１０２に循環ファン用モータ１３０を取り付けている。
【００２１】
図３Ｂは図３Ａの点線で囲む要部の拡大図を示している。図３Ｂにおいて、図１,図２,図３Ａと同一の構成部には同一参照番号を付している。
【００２２】
図３Ｂに示すように、露受容器３０は、容器本体３０ａと、容器本体３０ａの右上側に設けられた長方形状の切り欠き３０ｃとを有する。この露受容器３０の切り欠き３０ｃから露受案内部７０の左端(最下端)が露受容器３０内に臨んでいる(図８,図９参照)。また、露受容器３０の前面側の上端３０ｂを露受案内部７０の前縁７１よりも高くしている。この露受案内部７０は、露受部の一例である。
【００２３】
また、図３Ｃは図３Ｂの連結部材１４を含む要部の拡大図を示しており、図３Ｃにおいて、図３Ａ,図３Ｂと同一の構成部には同一参照番号を付している。
【００２４】
図３Ｃに示すように、本体ケーシング１は、加熱庫１０の開口部１１の周囲に設けられた前板１２と、加熱庫１０の下側に取り付けられ、前板１２の下端よりも前縁が後側に位置する底板１３と、前板１２の下端側と底板１３の前縁側との間を連結する連結部材１４とを有する。この連結部材１４は、金属板の折り曲げ加工等によって製作されている。なお、連結部材は、金属製に限らず、他の材料からなるものでもよい。
【００２５】
上記本体ケーシング１の下側かつ前面側に操作部５(図１に示す)の後側が収容される凹部１５を形成している。
【００２６】
上記前板１２は、前板本体１２ａと、前板本体１２ａの下端で後側に１８０度折りたたまれた折りたたみ部１２ｂと、折りたたみ部１２ｂの上端から後側に向かって折り曲げられた折曲部１２ｃとを有する。
【００２７】
また、上記連結部材１４は、連結部材本体１４ａと、連結部材本体１４ａの上端から前方に向かって折り曲げられ、前板１２の折曲部１２ｃと接続された第１折曲部１４ｂと、連結部材本体１４ａの下端から後方に向かって折り曲げられ、底板１３の前縁と接続された第２折曲部１４ｃとを有する。
【００２８】
なお、この実施の形態では、前板１２と連結部材１４とをネジを用いて接続すると共に、底板１３と連結部材１４とをネジを用いて接続しているが、溶接などの他の接続方法を用いてもよい。
【００２９】
図４Ａは図１のIVA−IVA線から見た縦断面図を示し、図４Ｂは図４Ａの点線で囲む要部の拡大図を示している。図４Ａ,図４Ｂにおいて、図３Ａ〜図３Ｃと同一の構成部には同一参照番号を付している。
【００３０】
図４Ａ,図４Ｂに示すように、水タンク２０は、本体部２０ａと、本体部２０ａの前面側に設けられた把手２０ｂと、本体部２０ａの後端側かつ上側に設けられた接続部２１とを有する。この水タンク２０は、前方からタンク収納部８０に装着することによって、水タンク２０の接続部２１は、受入口３１に挿入されて接続される。これより、水タンク２０の接続部２１から受入口３１とパイプ(図示せず)とポンプ(図示せず)を介して蒸気発生装置(図示せず)に水が供給される。
【００３１】
また、上記水タンク２０の前面側の上端(把手２０ｂ)を露受案内部７０の前縁７１よりも高くしている。
【００３２】
また、加熱庫１０の後面板１０１の略中央に、複数の貫通穴からなっている吸込口(図示せず)を設けると共に、その後面板１０１の吸込口の回りに複数の貫通穴からなる吹出口(図示せず)を設けている。
【００３３】
さらに、上記後面板１０１の後側に設けられた循環ダクト１０２内に、循環ファン１１０とコンベクションヒータ１２０とを配置している。コンベクションヒータ１２０は、循環ファン１１０の略全周を取り囲むように配置されている。
【００３４】
上記循環ファン１１０は、循環ダクト１０２内の中央に配置され、循環ファン用モータ１３０により駆動される。循環ファン１１０は、加熱庫１０の後面板１０１の吸込口から熱媒体を吸い込んで、その吸い込んだ熱媒体を半径方向外向に吹き出す。これにより、加熱庫１０内の熱媒体は、循環ファン１１０により後面板１０１の吸込口と循環ダクト１０２および後面板１０１の吹出口を介して循環する。
【００３５】
また、図４Ｂにおいて、３２は水タンク２０の装着の有無を検出する水タンクセンサである。
【００３６】
図５Ａは図１のＶA−ＶA線から見た縦断面図を示し、図５Ｂは図５Ａの点線で囲む要部の拡大図を示している。図５Ａ,図５Ｂにおいて、図３Ａ〜図４Ｂと同一の構成部には同一参照番号を付している。
【００３７】
図５Ａ,図５Ｂに示すように、本体ケーシング１の前側かつドア２の下側に、ドア２に対して間隔をあけて操作部５を配置している。
【００３８】
また、図５Ｂに示すように、操作部５は、液晶表示部６(図１に示す)およびダイヤル７と接続されたプリント基板８を有している。このプリント基板８は、後側が開口する箱形状のハウジング９内の前面側に取り付けられている。
【００３９】
また、操作部５のハウジング９の天面に水溜まり部１００を設けている。その水溜まり部１００上に延在するように露受案内部７０を設けている(図８〜図１０参照)。上記露受案内部７０の後面側に設けられた屈曲部７２を、連結部材１４の上側の第１折曲部１４ｂに固定している。
【００４０】
上記操作部５のハウジング９の前面側の上端９ａを露受案内部７０の前縁７１よりも高くしている。
【００４１】
また、図６は図１に示す操作部５と水タンク２０および露受容器３０を外した状態の加熱調理器を斜め下方から見た斜視図を示し、図７は図６に示す加熱調理器の正面図を示している。図６,図７において、図１,図２と同一の構成部には同一参照番号を付している。
【００４２】
図６,図７に示すように、本体ケーシング１の下側かつ前面側に凹部１５を形成するように、前板１２の下端側と底板１３の前縁側との間を連結部材１４により連結している。この連結部材１４の中央にタンク収納部８０を配置している。
【００４３】
また、図８は上記加熱調理器の連結部材１４に取り付けられた操作部５と水タンク２０および露受容器３０の斜視図を示し、図９は上記加熱調理器の連結部材１４に取り付けられた操作部５と水タンク２０および露受容器３０の上面図を示している。図８,図９において、図１〜図７と同一の構成部には同一参照番号を付している。
【００４４】
図８,図９に示すように、露受案内部７０は、後側から前側に向かって緩やかに傾斜する第１傾斜部７０ａと、右端から左端に向かって緩やかに傾斜する第２傾斜部７０ｂと、第１傾斜部７０ａと第２傾斜部７０ｂとの間に設けられた溝部７０ｃとを有している。なお、露受案内部７０の溝部７０ｃは、右端から左端に向かって前縁７１との間隔が徐々に広くなっている。
【００４５】
上記露受案内部７０は、上面視において水溜まり部１００の上方に延在する部分が水溜まり部１００の領域よりも小さくなっている。
【００４６】
また、露受案内部７０は、左端が露受容器３０に臨むように、操作部５および水タンク２０の上方に延在している。
【００４７】
図１０は操作部５の前面側を斜め上方から見た斜視図を示している。図１０において、図１〜図７と同一の構成部には同一参照番号を付している。
【００４８】
図１０,図１１に示すように、操作部５のハウジング９の天面の周囲に壁部９ｂを設けることによって水溜まり部１００を形成している。また、ハウジング９の前面側の上端９ａを壁部９ｂよりも高くして、露受案内部７０の前縁７１(図５Ｂに示す)よりも高くなるようにしている。
【００４９】
図１１は操作部５の裏面側を斜め上方から見た斜視図を示し、図１２は操作部５の裏面図を示している。図１１,図１２に示すように、ハウジング９内の収容部９０にプリント基板８を収容している。
【００５０】
上記構成の加熱調理器において、本体ケーシング１の前側かつドア２の下側に、ドア２に対して間隔をあけて操作部５を配置することによって、ドアに操作部を設けたものに比べてドア２を軽量化できるので、ドア２の開閉時の操作性を向上できる。
【００５１】
また、ドア２とは別に加熱庫１０よりも下方に配置されている操作部５に対して、加熱調理における加熱庫１０からの高熱が伝わりにくくなるので、操作部５への熱の影響を大幅に低減することができる。さらに、蒸気を用いた加熱調理では、加熱庫１０からの蒸気は操作部５よりも上方に流れるので、加熱庫１０内から漏れた蒸気が操作部５に侵入して悪影響を及ぼすことがない。
【００５２】
したがって、上記加熱調理器によれば、ドア２の操作性を向上でき、操作部５内の電装品の信頼性を向上できる。
【００５３】
また、上記操作部５の水溜まり部１００上に延在するように設けられた露受案内部７０(露受部)が、上面視において水溜まり部１００上方の部分が水溜まり部１００の領域よりも小さいので、万が一、加熱庫１０から水が多量に落下して露受案内部７０から溢れても、溢れた水を水溜まり部１００で受けて、操作部５への水の侵入を確実に防止することができる。
【００５４】
また、上記ドア２および加熱庫１０から滴下した水を、露受案内部７０(露受部)によって露受容器３０に案内して露受容器３０内に溜めるので、露受案内部７０から水が溢れないようにできる。
【００５５】
また、上記操作部５の前面側の上端９ａを露受案内部７０の前縁７１よりも高くすることによって、正面視において露受案内部７０が操作部５の前面で隠れて美観が向上する。
【００５６】
また、上記本体ケーシング１の前側かつドア２の下側に、操作部５と隣り合うように着脱可能な水タンク２０を配置することによって、水タンク２０が操作部５の側方からの熱を遮断することができる。また、ユーザーが触る操作部５と水タンク２０を並べることで、操作性が向上する。
【００５７】
また、上記水タンク２０の前面側の上端(把手２０ｂ)を露受案内部７０の前縁７１よりも高くすることによって、正面視において露受案内部７０が水タンク２０の前面で隠れて美観が向上する。
【００５８】
また、上記加熱庫１０の開口部１１の周囲に設けられた前板１２の下端側と、加熱庫１０の下側に取り付けられた底板１３の前縁側との間を連結部材１４により連結して、本体ケーシング１の下側かつ前面側に操作部５の後側が収容される凹部１５を形成することによって、例え操作部５が破損しても、操作部５の後方が連結部材１４により覆われているので、本体ケーシング１内の高電圧などが露出せず、安全性が向上する。
【００５９】
また、金属からなる連結部材１４によって、本体ケーシング１内からのマイクロ波を遮蔽するので、マイクロ波による操作部５内の電子回路の誤動作を防止することができる。
【００６０】
〔第２実施形態〕
この発明の第２実施形態の加熱調理器は、水タンクと露受容器および露受案内部を除いて第１実施形態の加熱調理器と同様の構成をしており、図１,図２を援用する。
【００６１】
第１実施形態の加熱調理器では、操作部５と水タンク２０および露受容器３０を右側から左側に向かって順に配置していたのに対して、この第２実施形態の加熱調理器では、操作部５と露受容器３０および水タンク２０を右側から左側に向かって順に配置している。
【００６２】
上記構成の加熱調理器では、露受容器３０を操作部５と隣り合うように配置することによって、第１実施形態の露受案内部７０のように水タンク２０を跨がないので、露受案内部の構成を簡略化することができる。
【００６３】
上記第２実施形態の加熱調理器は、第１実施形態の加熱調理器と同様の効果を有する。
【００６４】
〔第３実施形態〕
この発明の第３実施形態の加熱調理器は、水溜まり部１００と露受案内部７０を除いて第１実施形態の加熱調理器と同様の構成をしており、図１,図２を援用する。
【００６５】
この第３実施形態の加熱調理器は、操作部５上に水溜まり部と露受案内部を設けていない構成としている。
【００６６】
このような構成の加熱調理器においても、第１実施形態の加熱調理器と同様に、本体ケーシング１の前側かつドア２の下側に、ドア２に対して間隔をあけて操作部５を配置することによって、ドア２を軽量化してドア２開閉時の操作性を向上できると共に、ドア２とは別に加熱庫１０よりも下方に配置されている操作部５に対して、加熱調理における加熱庫１０からの高熱が伝わりにくくなるので、操作部５に対する熱の悪影響を防ぐことができる。
【００６７】
また、蒸気を用いた加熱調理では、加熱庫１０からの蒸気は操作部５よりも上方に流れるので、加熱庫１０からの蒸気が操作部５に侵入して悪影響を及ぼすことがない。
【００６８】
上記第１〜第３実施形態では、蒸気を用いた加熱機能を備えた加熱調理器について説明したが、蒸気を用いた加熱機能を備えていないオーブンレンジや電子レンジなどの加熱調理器にこの発明を適用してもよい。この場合、蒸気発生用の水タンクはなくなり、この発明の加熱調理器は、本体ケーシングの前側かつドアの下側に少なくとも操作部が配置されたものであればよい。
【００６９】
また、上記第１〜第３実施形態では、ドア２および加熱庫１０から滴下した水を受けて露受容器３０に案内する露受案内部７０を露受部として用いた加熱調理器について説明したが、露受部はこれに限らず、操作部の水溜まり部上に延在するように設けられ、ドアおよび加熱庫から滴下した水を受ける露受部であればよい。
【００７０】
この発明の具体的な実施の形態について説明したが、この発明は上記第１〜第３実施形態に限定されるものではなく、この発明の範囲内で種々変更して実施することができる。例えば、上記第１〜第３実施形態で記載した内容を適宜組み合わせたものを、この発明の一実施形態としてもよい。
【００７１】
この発明および実施形態をまとめると、次のようになる。
【００７２】
この発明の加熱調理器は、
本体ケーシング１内に配置され、前面に開口部１１を有する加熱庫１０と、
上記本体ケーシング１の前面側に開閉可能に取り付けられ、上記加熱庫１０の上記開口部１１を開閉するドア２と、
上記本体ケーシング１の前側かつ上記ドア２の下側に、上記ドア２に対して間隔をあけて配置された操作部５と
を備えたことを特徴とする。
【００７３】
上記構成によれば、本体ケーシング１の前側かつドア２の下側に、ドアに対して間隔をあけて操作部５を配置することによって、ドア２を軽量化できるので、ドア２の開閉時の操作性を向上できると共に、ドア２とは別に加熱庫１０よりも下方に配置されている操作部５に対して、加熱調理における加熱庫１０からの高熱が伝わりにくくなるので、操作部５に対する熱の悪影響を防ぐことができる。
【００７４】
また、蒸気を用いた加熱調理では、加熱庫１０からの蒸気は操作部５よりも上方に流れるので、加熱庫１０内から漏れた蒸気が操作部５に侵入して悪影響を及ぼすことがない。
【００７５】
また、一実施形態の加熱調理器では、
上記操作部５の天面に設けられた水溜まり部１００と、
上記操作部５の上記水溜まり部１００上に延在するように設けられた露受部７０と
を備え、
上記露受部７０は、上面視において上記水溜まり部１００の上方の延在する部分が上記水溜まり部１００の領域よりも小さい。
【００７６】
上記実施形態によれば、操作部５の水溜まり部１００上に延在するように設けられた露受部７０が、上面視において水溜まり部１００上方の部分が上記水溜まり部１００の領域よりも小さいので、万が一、加熱庫１０から水が多量に落下して露受部７０から溢れても、溢れた水を水溜まり部１００で受けて、操作部５への水の侵入を確実に防止できる。
【００７７】
また、一実施形態の加熱調理器では、
上記本体ケーシング１の前側かつ上記ドア２の下側に配置された露受容器３０を備え、
上記露受部７０は、上記ドア２および上記加熱庫１０から滴下した水を受けて上記露受容器３０に案内する露受案内部７０である。
【００７８】
上記実施形態によれば、ドア２および加熱庫１０から滴下した水を、露受部７０である露受案内部７０によって露受容器３０に案内して露受容器３０内に溜めるので、露受案内部７０から水が溢れないようにできる。
【００７９】
また、一実施形態の加熱調理器では、
上記露受容器３０は、上記操作部５と隣り合うように配置されている。
【００８０】
上記実施形態によれば、露受容器３０を操作部５と隣り合うように配置することによって、水タンク等を跨ぐことがなく、露受案内部７０の構成を簡略化できる。
【００８１】
また、一実施形態の加熱調理器では、
上記操作部５の前面側の上端９ａが上記露受部７０の前縁７１よりも高い。
【００８２】
上記実施形態によれば、操作部５の前面側の上端９ａを露受部７０の前縁７１よりも高くすることによって、正面視において露受部７０が操作部５の前面で隠れて美観が向上する。
【００８３】
また、一実施形態の加熱調理器では、
上記本体ケーシング１の前側かつ上記ドア２の下側に、上記操作部５と隣り合うように配置された着脱可能な水タンク２０を備えた。
【００８４】
上記実施形態によれば、本体ケーシング１の前側かつドア２の下側に、操作部５と隣り合うように着脱可能な水タンク２０を配置することによって、水タンク２０が操作部５の側方からの熱を遮断できる。また、ユーザーが触る操作部５と水タンク２０を並べることで、操作性が向上する。
【００８５】
また、一実施形態の加熱調理器では、
上記本体ケーシング１の前側かつ上記ドア２の下側に、上記操作部５と隣り合うように配置された着脱可能な水タンク２０を備え、
上記水タンク２０の前面側の上端が上記露受部７０の前縁７１よりも高い。
【００８６】
上記実施形態によれば、水タンク２０の前面側の上端を露受部７０の前縁７１よりも高くすることによって、正面視において露受部７０が水タンク２０の前面で隠れて美観が向上する。
【００８７】
また、一実施形態の加熱調理器では、
上記本体ケーシング１は、
上記加熱庫１０の開口部１１の周囲に設けられた前板１２と、
上記加熱庫１０の下側に取り付けられ、上記前板１２の下端よりも前縁が後側に位置する底板１３と、
上記本体ケーシング１の下側かつ前面側に上記操作部５の後側が収容される凹部を形成するように、上記前板１２の下端側と上記底板１３の前縁側との間を連結する連結部材１４と
を有する。
【００８８】
上記実施形態によれば、加熱庫１０の開口部１１の周囲に設けられた前板１２の下端側と、加熱庫１０の下側に取り付けられた底板１３の前縁側との間を連結部材１４により連結して、本体ケーシング１の下側かつ前面側に操作部５の後側が収容される凹部を形成することによって、例え操作部５が破損しても、操作部５の後方が連結部材１４により覆われているので、本体ケーシング１内の高電圧などが露出せず、安全性が向上する。
【００８９】
また、一実施形態の加熱調理器では、
上記連結部材１４は金属からなる。
【００９０】
上記実施形態によれば、金属からなる連結部材１４によって、本体ケーシング１内からのマイクロ波を遮蔽するので、マイクロ波による操作部５内の電子回路の誤動作を防止できる。
【符号の説明】
【００９１】
１…本体ケーシング
２…ドア
３…ハンドル
４…耐熱ガラス
５…操作部
６…液晶表示部
７…ダイヤル
８…プリント基板
９…ハウジング
９ａ…上端
１０…加熱庫
１１…開口部
１２…前板
１３…底板
１４…連結部材
２０…水タンク
２１…接続部
３０…露受容器
３０ａ…容器本体
３０ｂ…上端
３０ｃ…切り欠き
３１…受入口
４１…トレイ
４２…調理網
５０…収容凹部
５１…攪拌アンテナ
５２…攪拌アンテナ用モータ
６０…導波管
６１…マグネトロン
７０…露受案内部(露受部)
８０…タンク収納部
９０…収容部
１００…水溜まり部
１０１…後面板
１０２…循環ダクト
１１０…循環ファン
１１１,１１２…上ヒータ
１１３…下ヒータ
１２０…コンベクションヒータ
１３０…循環ファン用モータ
【図１】
2020056507.tif 000003
【図２】
2020056507.tif 000004
【図３Ａ】
2020056507.tif 000005
【図３Ｂ】
2020056507.tif 000006
【図３Ｃ】
2020056507.tif 000007
【図４Ａ】
2020056507.tif 000008
【図４Ｂ】
2020056507.tif 000009
【図５Ａ】
2020056507.tif 000010
【図５Ｂ】
2020056507.tif 000011
【図６】
2020056507.tif 000012
【図７】
2020056507.tif 000013
【図８】
2020056507.tif 000014
【図９】
2020056507.tif 000015
【図１０】
2020056507.tif 000016
【図１１】
2020056507.tif 000017
【図１２】
2020056507.tif 000018